(57)【要約】　　　（修正有）【課題】有機感光体ドラムの感光層の摩耗が有効に抑制されている場合においても、画像形成の繰り返しによる画質の低下が有効に抑制され、装置の有効寿命が向上し、ライフを通じて高画質の画像を形成し得る高寿命の画像形成装置を提供する。【解決手段】転写用コロナ放電を行う帯電器と紙分離用コロナ放電を行う帯電器とが一体に組み合わされた転写・分離一体型帯電ユニットを有機感光体ドラム１の下方に配置するとともに、該ドラムの有機感光層中に配合されている電荷輸送剤として、無機性値／有機性値の比が０．６以下の化合物を使用する。【選択図】　図１
2004133064.tif 000002
【特許請求の範囲】
【請求項１】
有機感光体ドラムの周囲に、主帯電手段、露光手段、現像手段、転写手段、及びクリーニング手段が配置されてなり、且つ前記転写手段は、該有機感光体ドラムの下方に配置されている画像形成装置において、
前記転写手段として、転写用コロナ放電を行う転写用帯電器と紙分離用コロナ放電を行う分離用帯電器とが使用され、該転写用帯電器または分離用帯電器は、その放電開口面とは反対側の背面に開口部を有するものであり、
前記有機感光体ドラムの有機感光層中に配合されている電荷輸送剤は、何れも無機性値／有機性値の比が０．６以下の化合物であり、且つ電荷発生剤が無金属フタロシアニン、チタニルフタロシアニン及びヒドロキシガリウムフタロシアニンからなる群より選択された少なくとも１種であることを特徴とする画像形成装置。
【請求項２】
前記転写用帯電器または分離用帯電器は、その中心と有機感光体ドラム中心とを結ぶ直線が有機感光体ドラム中心を通って降下している鉛直線に対して±１０度以内の角度を有するように配置されている請求項１に記載の画像形成装置。
【請求項３】
前記転写用帯電器または分離用帯電器において、その放電開口面とは反対側の背面に形成されている開口部は、背面全体の５０％以上の面積を有している請求項１または２に記載の画像形成装置。
【請求項４】
前記転写用手段は、前記転写用帯電器と分離用帯電器とが一体に組み合わされた転写・分離一体型帯電ユニットであり、該ユニットを構成する転写用帯電器及び分離用帯電器のそれぞれに前記開口部が形成されており、且つ、該ユニットは、その中心と有機感光体ドラム中心とを結ぶ直線が有機感光体ドラム中心を通って降下している鉛直線に対して±１０度以内の角度を有するように配置されている請求項１に記載の画像形成装置。
【請求項５】
前記有機感光体ドラムは、電荷発生剤及び電荷輸送剤をバインダー樹脂中に分散させてなる単層の感光層が導電性素管表面に形成されたものである請求項１乃至４の何れかに記載の画像形成装置。
【請求項６】
前記感光層は、正帯電型のものである請求項５に記載の画像形成装置。
【請求項７】
前記転写用帯電器または分離用帯電器では、コロナワイヤーに流す電流が１５０μＡ（絶対値）以上である請求項１乃至６の何れかに記載の画像形成装置。
【発明の詳細な説明】
【０００１】
【発明の属する技術分野】
本発明は、有機感光体ドラムを用いての電子写真法により画像形成を行う画像形成装置に関するものであり、より詳細には、ライフを通じて高画質の画像を形成し得る高寿命の画像形成装置に関する。
【０００２】
【従来の技術】
複写機、ファクシミリ、プリンターなどの電子写真法による画像形成装置においては、回転駆動する有機感光体ドラムの周囲に、主帯電手段、露光手段、現像手段、転写手段、及びクリーニング手段が配置されており、一般に、以下のようにして画像形成が行われる。
即ち、感光体を、所定の主帯電手段によって正または負極性に一様に主帯電し、所定の画像情報に基づいて露光手段による光照射が行われて画像露光が行われ、これにより、静電潜像を形成する。このようにして形成された静電潜像を、現像手段によって現像し、感光体ドラム表面にトナー像を形成する。感光体ドラム表面に形成されたトナー像は、現像方法により感光体の帯電極性と同極性或いは反対極性に帯電されており、静電力を利用して、所定の帯電手段によって転写紙に転写される。
トナー像が転写した転写紙は、定着装置に導入され、熱、圧力により、トナー像の転写紙表面への定着が行われる。一方、転写終了後においては、感光体表面に残存するトナーがクリーニングされ、さらに必要により除電（除電光の照射）が行われ、これにより、画像形成行程の１サイクルが完了し、次の画像形成が行われる。
【０００３】
上記の画像形成に用いる感光体ドラムとしては、種々のタイプのものが実用されているが、生産性が高く、安価である等の利点を有していることから、導電性基体（素管）上に、電荷発生剤や電荷輸送剤をバインダー樹脂中に分散させて有機感光層を形成させた所謂有機感光体ドラムが主流となっている。
【０００４】
ところで、有機感光体ドラムでは、画像形成サイクルの繰り返しにより、クリーニング手段等との摩擦により感光層が摩耗するため、他のタイプの感光体（例えば感光層がセレンや非晶質シリコンで形成されている無機感光体）に比して寿命が短いという問題がある。
このような感光層の摩耗を抑制し、感光体寿命を向上させるために、耐摩耗性に優れた樹脂をバインダー樹脂として用い、且つ感光層中の電荷輸送剤の固形分濃度を適切に設計した有機感光層を形成することが一般に行われている（例えば、特許文献１参照）。
【０００５】
【特許文献１】
特開２００２−１４８８３０号公報
【０００６】
【発明が解決しようとする課題】
しかしながら、上記特許文献１のように、耐摩耗性に優れた樹脂をバインダー樹脂として用いた感光層が形成された有機感光体ドラムでは、画像形成サイクルの繰り返しによる感光層の摩耗を有効に抑制できるものの、感光層が摩耗し易いものに比して、画像形成の繰り返しによる画像濃度の低下などの画質の低下が大きく、結局、装置の有効寿命はさほど向上していないという欠点があった。特に、画質の低下傾向は、主帯電手段や転写手段として、コロナ放電を利用した帯電器を用いた場合に顕著である。
【０００７】
従って、本発明の目的は、有機感光体ドラムが使用されている電子写真法による画像形成装置において、有機感光体ドラムの感光層の摩耗が有効に抑制されている場合においても、画像形成の繰り返しによる画質の低下が有効に抑制され、装置の有効寿命が向上し、ライフを通じて高画質の画像を形成し得る高寿命の画像形成装置を提供することにある。
【０００８】
【課題を解決するための手段】
即ち、本発明によれば、有機感光体ドラムの周囲に、主帯電手段、露光手段、現像手段、転写手段、及びクリーニング手段が配置されてなり、且つ前記転写手段は、該有機感光体ドラムの下方に配置されている画像形成装置において、
前記転写手段として、転写用コロナ放電を行う転写用帯電器と紙分離用コロナ放電を行う分離用帯電器とが使用され、該転写用帯電器または分離用帯電器は、その放電開口面とは反対側の背面に開口部を有するものであり、
前記有機感光体ドラムの有機感光層中に配合されている電荷輸送剤は、何れも無機性値／有機性値の比が０．６以下の化合物であり、且つ電荷発生剤が無金属フタロシアニン、チタニルフタロシアニン及びヒドロキシガリウムフタロシアニンからなる群より選択された少なくとも１種であることを特徴とする画像形成装置が提供される。
【０００９】
本発明においては、
１．前記転写用帯電器または分離用帯電器は、その中心と有機感光体ドラム中心とを結ぶ直線が有機感光体ドラム中心を通って降下している鉛直線に対して±１０度以内の角度を有するように配置されていること、
２．前記転写用帯電器または分離用帯電器において、その放電開口面とは反対側の背面に形成されている開口部は、背面全体の５０％以上の面積を有していること、
３．前記転写用手段は、前記転写用帯電器と分離用帯電器とが一体に組み合わされた転写・分離一体型帯電ユニットであり、該ユニットを構成する転写用帯電器及び分離用帯電器のそれぞれに前記開口部が形成されており、且つ該ユニットは、その中心と有機感光体ドラム中心とを結ぶ直線が有機感光体ドラム中心を通って降下している鉛直線に対して±１０度以内の角度を有するように配置されていること、
４．前記有機感光体ドラムは、電荷発生剤及び電荷輸送剤をバインダー樹脂中に分散させてなる単層の感光層が導電性素管表面に形成されたものであること、
５．前記感光層は、正帯電型のものであること、
６．前記転写用帯電器または分離用帯電器では、コロナワイヤーに流す電流が１５０μＡ（絶対値）以上であること、
が好ましい。
【００１０】
概説すると、本発明は、上述した有機感光層が耐摩耗性に優れている場合に顕著となる画質の低下は、コロナ帯電により発生するオゾンやＮＯｘ等の放電生成物によって感光層が劣化することによって発生するものであること、及び放電生成物による感光層の劣化は、画像形成すべき用紙（転写紙）から発生する紙粉によって促進されるものであるという知見に基づいてなされたものである。
【００１１】
即ち、帯電手段や転写手段には、コロナ帯電が利用されているが、このコロナ帯電によって発生するオゾンやＮＯｘ等の放電生成物に感光層表面が曝露されることにより、感光層表面が劣化し、画質の低下を来たすことは従来から知られている。しかるに、画像形成サイクルの繰り返しによって表面が摩耗すると、放電生成物によって劣化した感光層表面は削り取られ、劣化を生じていないバージンな表面が現れる。従って、摩耗を生じ易い有機感光層では、放電生成物による感光層表面の劣化は無視し得るレベルであり、そのような表面劣化による画質の低下はさほど問題とならない。一方、耐摩耗性に優れた有機感光層では、感光層表面の削り取りの進行が極めて遅いため、常に劣化した表面が現れており、画質の低下がもたらされる。これが、耐摩耗性に優れた感光層ほど画像形成の繰り返しによる画質の低下が著しくなる要因である。
【００１２】
ところで、耐摩耗性に優れた感光層において、画像形成の繰り返しによる画質の低下が放電生成物による感光層表面の劣化に起因するというのであれば、コロナ帯電器を用いた画像形成装置では、感光層表面が放電生成物に曝露されないような排気システムを採用することにより、十分に対処し得ることが考えられる。このために、本発明においては、前記転写手段として使用される転写用帯電器や分離用帯電器を感光体ドラムの下方に配置するとともに、該帯電器の放電開口面とは反対側の背面に開口部を形成している。即ち、オゾンやＮＯｘなどの放電生成物は空気より重く、自重により下方に落下する。従って、下方に配置された転写用帯電器或いは分離用帯電器において、背面に開口部を形成しておくことにより、放電生成物は、この開口部から下方に排出される。この結果、このような帯電器内に放電生成物が滞留することはなく、装置停止時等において、滞留した放電生成物による感光層表面の劣化を有効に緩和することができる。
この場合、主帯電手段として、コロナ帯電器を用いたとしても、上記の転写手段が感光体ドラムの下方に配置されている結果、主帯電のためのコロナ帯電器は、感光体ドラムの上方に配置されることとなる。この結果、このコロナ帯電器により発生した放電生成物は、下側の放電開口面から自重によって落下して下方に排出されるため、装置停止時に、このような放電生成物に感光層表面が曝されることも有効に抑制できる。
【００１３】
また、有機感光層中には、電荷発生剤が配合されている。このような電荷発生剤としては種々のものが知られており、実際に使用されているが、その代表的なものとして、無金属フタロシアニン、チタニルフタロシアニン及びヒドロキシガリウムフタロシアニンからなる群より選択された少なくとも１種が使用される。上記の電荷発生剤は、オゾン等の放電生成物の影響を極めて受け易いものであり、微量の放電生成物が感光層表面に付着していた場合にも劣化の程度が著しく、画質の低下が生じてしまう。即ち、上述した排気システムの採用のみでは、このような電荷発生剤の劣化による画質の低下を回避することが困難である。
そこで、本発明では、感光層中に配合する電荷輸送剤として、無機性値／有機性値の比が０．６以下の化合物のみを使用することにより、上記のような放電生成物の影響を受け易い電荷発生剤を用いた場合の放電生物の影響を有効に緩和し、画質の低下を有効に防止している。
【００１４】
即ち、最近では、コスト軽減や資源の再利用のため、転写紙として、安価な紙や再生紙等の低品質の紙が多く利用されるようになってきている。このような転写紙で紙粉が多く発生し、紙粉には、タルク等の無機化合物粒子が含まれている。一般に、感光体表面に付着した紙粉は、クリーニングブレード等のクリーニング手段により除去されるのであるが、紙粉中のタルク等の無機化合物粒子は、非常に細かい粒子であるため、クリーニングブレードをすり抜けたり、あるいはクリーニングブレードにより感光体表面に擦り付けられてしまい、画像形成を繰り返していくうちに、感光体表面にタルク等のフィルミングが生じてしまう。しかるに、タルク等の無機化合物がフィルミングした部分には、オゾン等の放電生成物が非常に付着しやすくなっている。　この結果、前述した排気システムによるも、放電生成物がフィルミングした部分に微量付着し、前述した放電生成物の影響を受け易い電荷発生剤では、放電生成物による劣化を生じてしまい、良質の画像を得ることが困難となってしまうわけである。
【００１５】
しかるに、本発明では、前述した如く、無機性値／有機性値の比が０．６以下の化合物のみを電荷輸送剤として使用することにより、タルク等の無機化合物の感光層表面の付着が有効に抑制され、この結果、タルク等がフィルミングした部分への放電生成物の付着も抑制され、かくして放電生成物による画質の低下を有効に防止することが可能となるものである。
【００１６】
本発明において、無機性値／有機性値（以下、Ｉ／Ｏ値と呼ぶことがある）とは、各種有機化合物の極性を有機概念的に取り扱った値であり、例えばＫＵＭＡＭＯＴＯ　ＰＨＡＲＭＡＣＥＵＴＩＣＡＬ　ＢＵＬＬＥＴＩＮ，第１号、第１〜１６項（１９５４年）；化学の領域、第１１巻、第１０号、７１９〜７２５項（１９５７年）；フレグランスジャーナル、第３４号、第９７〜１１１項（１９７９年）；フレグランスジャーナル、第５０号、第７９〜８２項（１９８１年）；などの文献に詳細に説明されており、炭素（Ｃ）１個を有機性２０とし、それに対し各種極性基の無機性、有機性の値を下記の表１の如く定め、無機性値の和と有機性値の和を求め両者の比をとった値を意味する。
【００１７】
【表１】
2004133064.tif 000003
尚、上記の表１において、Ｒは、アルキル基を示し、φは、アルキル基、アリール基を示す。
【００１８】
Ｉ／Ｏ値の概念を簡単に説明すると、化合物の性質を、共有結合性を表わす有機性基と、イオン結合性を表わす無機性基とに分け、すべての有機化合物を有機軸と無機軸と名付けた直行座標上の１点ずつに位置づけて示すものである。
この場合において、無機性値とは、有機化合物が有している種々の置換基や結合等の沸点への影響力の大小を、水酸基を基準に数値化したものである。具体的には、直鎖アルコールの沸点曲線と直鎖パラフィンの沸点曲線との距離を炭素数５の付近で取ると約１００℃となるので、水酸基１個の影響力を数値で１００と定め、この数値に基づいて、各種置換基或いは各種結合などの沸点への影響力を数値化した値が、有機化合物が有している置換基の無機性値である。例えば、上記表１に示されている通り、−ＣＯＯＨ基の無機性値は１５０であり、２重結合の無機性値は２である。従って、ある種の有機化合物の無機性値とは、該化合物が有している各種置換基や結合等の無機性値の総和を意味する。
一方、有機性値とは、分子内のメチレン基を単位とし、そのメチレン基を代表する炭素原子の沸点への影響力を基準にして定めたものである。即ち、直鎖飽和炭化水素化合物の炭素数５〜１０付近での炭素１個加わることによる沸点上昇の平均値は２０℃であるから、これを基準に、炭素原子１個の有機性値を２０と定め、これを基礎として、各種置換基や結合等の沸点への影響力を数値化した値が有機性値である。例えば、上記表１に示されている通り、ニトロ基（−ＮＯ２）の有機性値は７０である。従って、ある種の有機化合物の無機性値とは、該化合物が有している各種置換基や結合等の有機性値の総和を意味する。
【００１９】
例えば、下記式で表される化合物（以下、ＥＴＭ−１と略す）は、本発明において使用し得る電荷輸送剤（電子輸送剤）の代表例であるが、この化合物Ｉ／Ｏ値は、以下のようにして算出される。
【化１】
2004133064.tif 000004
【００２０】
有機性因子
・有機性２０の炭素原子を３０個有している。
・有機性−２０のｔｅｒｔ分岐（アルキル基）を２個有している。
よって、有機性値は２０×３０＋　（−２０）×２　＝５６０　となる。
無機性因子
・無機性が６０のナフタレン環を２個有している。
・無機性が６５のケトン（＞ＣＯ）を２個有している。
・無機性が２の二重結合（ナフタレン環部を除く）を１個有している。
よって、無機性値は　６０×２＋６５×２＋２×１　＝　２５２　となる。
従って、この化合物（ＥＴＭ−１）のＩ／Ｏ値は、
２５２／５６０　＝　０．４５００
となる。
【００２１】
上記のようにして算出されるＩ／Ｏ値は、これが０に近いほど非極性（疎水性、有機性の大きな）の有機化合物であることを示し、大きいほど極性（親水性、無機性の大きな）の有機化合物であることを示す。
本発明では、用いる有機感光体ドラムの感光層表面に配合されている電荷輸送剤は、全て、上述したＩ／Ｏ値が０．６以下である。即ち、このような感光体素ラムを用いて画像形成を行った場合には、タルク等の転写紙に含まれる物質が感光体表面に付着しにくくなり、長期間にわたって高品位な画像を得ることができるのである。
【００２２】
このように、Ｉ／Ｏ値が０．６以下の化合物を電荷輸送剤として使用することにより、タルクの付着が生じにくくなることは現象として見出されたものであり、その正確な理由は不明であるが、本発明者等は、以下のように推定している。即ち、上述した範囲のＩ／Ｏ値を有する電荷輸送剤は、極性の小さな（有機性の大きな）ものであるため、タルクのごとき無機化合物に対する親和性が極めて乏しい。従って、このようなＩ／Ｏ値を有する電荷輸送剤を感光層の表面層に分布させて露出させておくことにより、タルクの感光体表面への付着が生じにくくなると考えられる。
【００２３】
【発明の実施形態】
本発明の画像形成装置の全体構造の概略を示す図１において、この画像形成装置は、有機感光体ドラム１を備えており、この有機感光体ドラム１の周囲には、主帯電を行うための帯電手段２、画像露光を行うための光学系３、現像装置４、転写手段５、クリーニング手段６及び除電手段７が配置されており、感光体ドラム１と転写手段との間に転写紙（図示せず）が通過し、この転写紙上に、感光体ドラム１の表面に形成されたトナー像が転写されるようになっている。さらに、図示されていないが、転写紙の排出側経路には、定着装置が設けられており、転写紙上に形成されたトナー像の定着が行われるように構成されている。
【００２４】
帯電装置２としては、コロトロン、スコロトロン等のコロナ帯電器や、導体ローラなどが使用され、画像形成に際しては、この帯電装置により、感光体ドラム１の表面が正極性または負極性に主帯電される。かかる主帯電は、その表面電位が絶対値で２００Ｖ〜１０００Ｖの範囲となる程度に行われる。
【００２５】
上記の主帯電後に、光学系３により、所定の画像情報に基づいて、レーザ光等の光を照射することにより画像露光が行われる。この光照射により、光が照射された部分の電位が低下し、静電潜像が形成される。
【００２６】
現像装置４は、例えば内部に多数の磁極を有するマグネットを備えた現像ローラを備えており、この現像ローラにより、所定極性に帯電されたトナーを含有する現像剤を、例えば穂切ブレード等により厚み調整して感光体ドラム１表面に供給し、上記静電潜像を現像し、感光体ドラム１表面にトナー像を形成する。
所謂反転現像方式を採用する場合には、トナーは、感光体の主帯電極性と同一極性に帯電され、光が照射されて電位が低下した部分に帯電したトナーが付着してトナー像が形成される。かかる反転現像方式では、一般に、５０〜４００Ｖ程度の現像バイアス電位が現像ローラに印加される。また、正規現像方式を採用する場合には、トナーは、感光体の主帯電極性と逆極性に帯電され、光が照射されていない部分にトナーが付着してトナー像を形成する。
現像剤としては、非磁性或いは磁性のトナーからなる一成分系現像剤、非磁性或いは磁性のトナーと磁性キャリヤ（例えば鉄粉、フェライトなど）とからなる二成分系現像剤が使用される。現像は、接触現像で行ってもよいし、非接触現像で行ってもよい。
【００２７】
本発明において、転写手段５としては、転写・分離一体型帯電ユニットが好適に使用される。
この帯電ユニット５は、転写用コロナ放電を行う転写用帯電器１０と紙分離用コロナ放電を行う紙分離用帯電器１１とが導電性のシールド１３によって一体に組み合わされているものであり、転写用帯電器１０はシールド１３内に転写のためのコロナ放電を行うためのコロナワイヤー１０ａを有しており、紙分離用帯電器１１は、紙分離用の交流コロナ放電を行うためのコロナワイヤー１１ａを有している。
【００２８】
かかる帯電ユニット５は、以下のように動作して転写及び紙分離を行う。
即ち、この帯電ユニット５と感光体ドラム１との間に転写紙１５が給紙されると、転写用帯電器１０でのコロナ放電により、転写紙１５の背面（帯電ユニット５側の面）がトナー像の帯電極性とは反対側の極性に帯電される。例えば、現像装置４により形成されたトナー像の帯電極性がプラスであれば、転写紙１５の背面は、マイナスにコロナ帯電される。この結果、感光体ドラム１表面に形成されたトナー像は、静電引力によって転写紙１５の表面に転写される。転写終了後、紙分離用帯電器１１により、転写紙１５の背面は、交流コロナ帯電され、これにより転写紙１５の感光体ドラム１表面への巻きつきが防止され、転写紙１５は感光体ドラム１表面から分離して排紙される。
このようにして表面にトナー像が転写された転写紙１５は、図示されていない定着装置に導入され、熱、圧力等により、トナー像は転写紙１５表面に定着されることとなる。
【００２９】
本発明においては、前述した帯電ユニット５を感光体ドラム１の下方に配置されるととともに、転写用帯電器１０及び紙分離用帯電器１１のそれぞれについて、放電開口面とは反対側の背面に位置しているシールド１３ａに開口１７が形成されている。即ち、上述した転写用帯電器１０及び紙分離用帯電器１１でのコロナ放電によって発生するオゾンやＮＯｘ等の放電生成物は、自重により、下方、即ち放電開口面とは反対側に落下していくが、上記のような開口１７を形成しておくことにより、落下した放電生成物は帯電ユニット５内に滞留せずに排出される。従って、装置停止時に感光体ドラム１表面が放電生成物に曝されることがなく、放電生成物によるドラム１表面の劣化を有効に回避することができるわけである。
また、帯電ユニット５を下方に配置することにより、前述した帯電装置２は、装置設計上、感光体ドラム１の上方に配置されることとなる。従って、帯電装置２としてコロナ帯電器を用いた場合にも、発生した放電生成物は、放電開口面から下方に落下し、コロナ帯電器内に滞留することなく排出される。従って、このようなコロナ帯電器により発生した放電生成物によるドラム１表面の劣化も有効に回避することができる。
【００３０】
本発明において、上記の帯電ユニット５は、その中心と有機感光体ドラム中心とを結ぶ直線と有機感光体ドラム中心を通って降下している鉛直線とがなす角θが±１０度以内となるように配置されていることが好ましい。即ち、この角θが上記範囲外であると、帯電ユニット５の背面に形成されている開口１７の傾斜が大きくなるため、放電生成物の排出効果が低下してしまうからである。
【００３１】
更に、帯電ユニット５の背面に形成されている開口１７は、転写用帯電器１０及び紙分離用帯電器１１のそれぞれについて、背面の５０％以上の面積を有していること、換言すると背面のシールド１３ａよりも大きく形成されていることが好ましい。開口１７が大きいほど、放電生成物の排出効果が高められ、感光体ドラム１の回転により発生する気流の影響により、転写紙１５が通過していない状態での感光体ドラム１の回転によって紙粉或いは紙粉中の無機化合物のドラム１表面への付着を極力抑えることができるからである。
【００３２】
本発明においては、放電生成物によるドラム１表面の劣化を有効に防止することができるため、例えば転写用帯電器１０での転写に際して、コロナワイヤー１０ａに流す電流を−１００μＡ以下、特に−１５０μＡ以下とすることができ、これにより転写効率を高めることができる。
即ち、放電生成物によるドラム１表面の劣化が大きいと、放電生成物量を少なくするためにコロナワイヤー１０ａに流す電流は少なく設定され、この結果、転写効率が低下してしまうという問題があったが、本発明では、このような転写効率の低下も有効に回避することができる。
【００３３】
転写終了後の感光体ドラム１は、クリーニング手段６により、クリーニングされ、表面に残存するトナー及び表面に付着した紙粉の除去が行われる。
このクリーニング手段６は、クリーニングブレード２０とファーブラシ２１とからなっており、ファーブラシ２１は、感光体ドラム１の回転方向に対して、クリーニングブレード２０よりも上流側に配置されていることが好ましい。即ち、ファーブラシ２１により表面に付着した紙粉をクリーニングした後に、クリーニングブレード２１によるクリーニングが行われるようになっている。感光体ドラム１表面に紙粉が付着した状態でブレードクリーニングが行われると、紙粉中のタルク等の無機化合物の粒子が感光体ドラム１表面に擦り付けられてしまい、感光体ドラム１表面に強固に付着して、そのクリーニングが困難となってしまうおそれがあるためである。
【００３４】
上記のようにして感光体ドラム１表面のクリーニングが行われた後、除電手段７により感光体ドラム１表面の除電が行われ、これにより、画像形成の一サイクルが完了する。除電手段としては、除電用の帯電ローラ或いは除電用ランプなどが使用される。
【００３５】
［有機感光体ドラム］
本発明において、有機感光体ドラム１は、導電性素管上に有機感光層を備えたものであり、該感光層は、バインダー樹脂中に電荷発生剤（ＣＧＭ）及び電荷輸送剤（ＣＴＭ）を分散することにより形成されたものである。
感光層の層構成は、後述する特定の電荷輸送剤を用いることに関連して、少なくとも表面層に電荷輸送剤が分散されている限りにおいて、電荷輸送剤と電荷発生剤とを含有する単一の層からなるもの（単層型感光層）であってもよいし、電荷発生剤を含有する電荷発生層（ＣＧＬ）と電荷輸送剤を含有する電荷輸送層（ＣＴＬ）とからなる積層型のもの（積層型感光層）であってもよいが、特には単層型感光層であるのがよい。即ち、単層型感光層では、表面に放電生成物の影響により劣化し易い電荷発生剤が分散されており、本発明では、このような電荷発生剤の劣化が有効に抑制できるからである。また、積層型感光層においては、少なくとも上層が電荷輸送層となっているべきである。
【００３６】
−電荷発生剤−
感光層形成に使用する電荷発生剤としては、
これらの化合物は、下記式で表されるものである。
【００３７】
無金属フタロシアニン（ＣＧＭ−１）：
【化２】
2004133064.tif 000005
【００３８】
チタニルフタロシアニン（ＣＧＭ−２）：
【化３】
2004133064.tif 000006
【００３９】
ヒドロキシガリウムフタロシアニン（ＣＧＭ−３）：
【化４】
2004133064.tif 000007
【００４０】
即ち、上記の電荷発生剤（ＣＧＭ）は、何れもオゾン等の放電生成物の影響を大きく受け、前述した帯電ユニット５の位置や構造のみでは、その劣化を回避することが困難である。しかるに、本発明では、以下の電荷輸送剤を用いることにより、放電生成物による上記電荷発生剤の劣化を有効に防止することができ、画質の低下を有効に回避することが可能となる。
【００４１】
−電荷輸送剤−
電荷輸送剤としては、電子輸送剤（ＥＴＭ）と正孔輸送剤（ＨＴＭ）とが組み合わせで使用されるが、既に述べた通り、本発明で用いる電荷輸送剤は、電子輸送剤及び正孔輸送剤の何れも、Ｉ／Ｏ値が０．６以下、特に０．５以下の化合物が使用される。
【００４２】
電子輸送剤としては、種々のものが知られているが、これらの中でも、Ｉ／Ｏ値が上記範囲の化合物を選択して、単独または組み合わせで使用する。このようなＩ／Ｏ値を有する電子輸送剤としては、これに限定されるものではないが、以下の一般式（１）〜（１２）で表される各種化合物の内、分子中の各置換基が、Ｉ／Ｏ値が０．６以下、特に０．５以下となるように選択されたものが好適に使用される。
【００４３】
下記式（１）で表されるジフェノキノン誘導体：
【化５】
2004133064.tif 000008
式中、Ｒ１〜Ｒ４は、同一でも異なっていてもよく、水素原子、ハロゲン原子または炭素数が１２以下の炭化水素基、例えばアルキル基、アリール基、アルコシ基等であって、該炭化水素基の炭素原子に結合した水素原子は、ハロゲン原子等により置換されていてもよい。
【００４４】
下記式（２）で表されるジフェノキノン誘導体：
【化６】
2004133064.tif 000009
式中、Ｒ１及びＲ２は、同一でも異なっていてもよく、水素原子、ハロゲン原子または炭素数が１２以下の炭化水素基、例えばアルキル基、アリール基、アルコキシ基等であって、該炭化水素基の炭素原子に結合した水素原子は、ハロゲン原子等により置換されていてもよい。
【００４５】
下記式（３）で表されるスチルベンキノン誘導体：
【化７】
2004133064.tif 000010
式中、Ｒ１〜Ｒ４は、同一でも異なっていてもよく、水素原子、ハロゲン原子または炭素数が１２以下の炭化水素基、例えばアルキル基、アリール基、アルコキシ基等であって、該炭化水素基の炭素原子に結合した水素原子は、ハロゲン原子等により置換されていてもよい。
【００４６】
下記式（４）で表されるジナフトキノン誘導体：
【化８】
2004133064.tif 000011
式中、Ｒ１及びＲ２は、同一でも異なっていてもよく、水素原子、ハロゲン原子または炭素数が１２以下の炭化水素基、例えばアルキル基、アリール基、アルコキシ基等であって、該炭化水素基の炭素原子に結合した水素原子は、ハロゲン原子等により置換されていてもよい。
【００４７】
下記式（５）で表されるジフェノキノン誘導体：
【化９】
2004133064.tif 000012
式中、Ｒ１及びＲ２は、同一でも異なっていてもよく、水素原子、ハロゲン原子または炭素数が１２以下の一価の炭化水素基、例えばアルキル基、アリール基、アルコキシ基等であって、該炭化水素基の炭素原子に結合した水素原子は、ハロゲン原子等により置換されていてもよい。
【００４８】
下記式（６）で表されるナフトキノン誘導体：
【化１０】
2004133064.tif 000013
式中、Ｒ１水素原子、ハロゲン原子または炭素数が１２以下の炭化水素基、例えばアルキル基、アリール基、アルコキシ基等であって、該炭化水素基の炭素原子に結合した水素原子は、ハロゲン原子等により置換されていてもよい。
【００４９】
下記式（７）で表されるナフトキノン誘導体：
【化１１】
2004133064.tif 000014
式中、Ｒ１及びＲ２は、同一でも異なっていてもよく、水素原子、ハロゲン原子または炭素数が１２以下の炭化水素基、例えばアルキル基、アリール基、アルコキシ基等であって、該炭化水素基の炭素原子に結合した水素原子は、ハロゲン原子等により置換されていてもよい。
【００５０】
下記式（８）で表されるナフトキノン誘導体：
【化１２】
2004133064.tif 000015
式中、Ｒ１及びＲ２は、同一でも異なっていてもよく、水素原子、ハロゲン原子または炭素数が１２以下の炭化水素基、例えばアルキル基、アリール基、アルコキシ基等であって、該炭化水素基の炭素原子に結合した水素原子は、ハロゲン原子等により置換されていてもよい。
【００５１】
下記式（９）で表されるアゾキノン誘導体：
【化１３】
2004133064.tif 000016
式中、Ｒ１及びＲ２は、同一でも異なっていてもよく、水素原子、ハロゲン原子または炭素数が１２以下の炭化水素基、例えばアルキル基、アリール基、アルコキシ基等であって、該炭化水素基の炭素原子に結合した水素原子は、ハロゲン原子等により置換されていてもよく、
Ｒ３は、炭素数が１２以下の炭化水素基、例えばアルキル基、アリール基、アルコキシ基等であって、該炭化水素基の炭素原子に結合した水素原子は、ハロゲン原子等により置換されていてもよく、
ｍは、０〜５の数である。
【００５２】
下記式（１０）で表されるアゾキノン誘導体：
【化１４】
2004133064.tif 000017
式中、Ｒ１、水素原子、ハロゲン原子または炭素数が１２以下の炭化水素基、例えばアルキル基、アリール基、アルコキシ基等であって、該炭化水素基の炭素原子に結合した水素原子は、ハロゲン原子等により置換されていてもよく、
Ｒ２は、炭素数が１２以下の炭化水素基、例えばアルキル基、アリール基、アルコキシ基等であって、該炭化水素基の炭素原子に結合した水素原子は、ハロゲン原子等により置換されていてもよく、
ｍは、０〜５の数である。
【００５３】
下記式（１１）で表されるアゾキノン誘導体：
【化１５】
2004133064.tif 000018
式中、Ｒ１及びＲ２は、同一でも異なっていてもよく、ハロゲン原子または炭素数が１２以下の炭化水素基、例えばアルキル基、アリール基、アルコキシ基等であって、該炭化水素基の炭素原子に結合した水素原子は、ハロゲン原子等により置換されていてもよく、
ｍは、０〜８の数であり、
ｎは、０〜５の数である。
【００５４】
下記式（１２）で表されるアゾキノン誘導体：
【化１６】
2004133064.tif 000019
式中、Ｒ１〜Ｒ４は、同一でも異なっていてもよく、水素原子、ハロゲン原子または炭素数が１２以下の炭化水素基、例えばアルキル基、アリール基、アルコキシ基等であって、該炭化水素基の炭素原子に結合した水素原子は、ハロゲン原子等により置換されていてもよく、
Ｒ５及びＲ６は、水素原子または炭素数が１２以下の炭化水素基、例えばアルキル基、アリール基、アルコキシ基等であって、該アルキル基の炭素原子に結合した水素原子は、ハロゲン原子等により置換されていてもよく、
Ｒ７及びＲ８は、同一でも異なっていてもよく、ハロゲン原子及び炭素数が１２以下の炭化水素基、例えばアルキル基、アリール基、アルコキシ基等であって、該炭化水素基の炭素原子に結合した水素原子は、ハロゲン原子等により置換されていてもよく、
ｍ及びｎは、それぞれ０〜４の数である。
【００５５】
同様に、上記電子輸送剤と併用される正孔輸送剤もＩ／Ｏ値が０．６以下、特に０．５以下の化合物であり、これに限定されるものではないが、以下のものを好適に使用することができる。
【００５６】
下記式（１３）で表されるアミン誘導体（ＨＴＭ−１）
Ｉ／Ｏ値＝０．２３９４
【化１７】
2004133064.tif 000020
【００５７】
下記式（１４）で表されるアミン誘導体（ＨＴＭ−２）
Ｉ／Ｏ値＝０．２７０７
【化１８】
2004133064.tif 000021
【００５８】
下記式（１５）で表されるアミン誘導体（ＨＴＭ−３）
Ｉ／Ｏ値＝０．３１７７
【化１９】
2004133064.tif 000022
【００５９】
下記式（１６）で表されるアミン誘導体（ＨＴＭ−４）
Ｉ／Ｏ値＝０．３１６２
【化２０】
2004133064.tif 000023
【００６０】
下記式（１７）で表されるアミン誘導体（ＨＴＭ−５）
Ｉ／Ｏ値＝０．２８７５
【化２１】
2004133064.tif 000024
【００６１】
下記式（１８）で表されるアミン誘導体（ＨＴＭ−６）
Ｉ／Ｏ値＝０．３１７９
【化２２】
2004133064.tif 000025
【００６２】
−バインダー樹脂−
本発明において、前述した電荷輸送剤を含有する感光層の表面層は、それ自体公知のバインダー樹脂、例えばポリオレフィン系樹脂、ポリエステル樹脂、ポリカーボネート樹脂等を用いて形成することができるが、特に下記式（１９）：
【化２３】
2004133064.tif 000026
式中、
Ｒ１は、水素原子、またはアルキル基（特に炭素数４以下の低級アルキル基を示し、
環Ｚは、飽和脂肪族の５員環または６員環を示す、
で表される構成単位を、例えば４０モル％以上、特に６０乃至１００モル％含有しているポリカーボネート樹脂を用いることが好ましい。上記以外の構成単位としては、ビフェニルやビスフェノールなどに由来する炭酸エステル単位であってよい。
【００６３】
このような式（１９）で表される構成単位を含有するポリカーボネート（或いは共重合ポリカーボネート）は、耐摩耗性に優れているという特性を有しており、例えば市販の京セラミタ（株）製複写機（ＫＭ−５５３０）でＡ４横の連続コピーを行った場合、感光体ドラム１の駆動時間当りの摩耗量（膜削れ）を０．００１３μｍ／分以下とすることができる。即ち、感光層がこのような耐摩耗性に優れている場合には、放電生成物による劣化の影響が極めて大きく、画質の低下を生じ易いが、本発明では、感光層が耐磨耗性に著しく優れている場合にも、画質の低下が有効に抑制され、ライフを通じて、高画質の画像を形成することができる。
【００６４】
上述したバインダー樹脂の分子量は、その種類によっても異なるが、一般に粘度平均分子量（ＰＣ−Ａ換算）で１万乃至２０万、好ましくは１８，０００乃至８０，０００の範囲にあるのがよい。
【００６５】
−単層型感光層−
本発明において、有機感光体ドラム１上に形成される単層型感光層は、電荷発生剤（ＣＧＭ）と、前述した範囲のＩ／Ｏ値を有する電荷輸送剤（ＣＴＭ）を前述したバインダー樹脂中に分散させることにより形成される。
かかる単層型感光層において、電荷発生剤（ＣＧＭ）は、バインダー樹脂１００重量部当たり０．１乃至２０重量部、特０．５乃至１０重量部の量で感光層中に含有されるのがよく、一方、電荷輸送剤（ＣＴＭ）の内、電子輸送剤（ＥＴ）は、バインダー樹脂１００重量部当たり５乃至１００重量部、特に１０乃至８０重量部の量で感光層中に含有されるのがよい。
また、電子輸送剤（ＥＴ）と正孔輸送剤（ＨＴ）とは、重量比で、ＥＴ：ＨＴ＝１０：１乃至１：１０、特に１：５乃至１：２の範囲にあるのが最もよい。
さらに、優れた耐摩耗性を確保するために、前述したバインダー樹脂を、全固形分中、５０乃至７５重量％の範囲で含有させるのがよい。バインダー樹脂の得量が上記範囲よりも少ないと耐摩耗性が低下し、また上記範囲よりも多いと、光感度等の特性が不満足となるおそれがある。
かかる単層型感光層において、その初期厚みは、一般に５乃至１００μｍ、特に１０乃至５０μｍの厚みに設けることが、電子写真学的特性の点及び耐久寿命の点で好ましい。
本発明は、単層型感光層を有する感光体を用いた場合に最も優れた効果が発現する。即ち、単層型感光層は、表面層に前述したＩ／Ｏ値を有する電荷輸送剤が分布し露出しているため、この部分でのタルクの付着を有効に回避し得るからである。
【００６６】
−積層型感光層−
本発明においては、感光層は積層型であってもよいが、この場合には、電荷輸送層が表面側に形成されていること、即ち、導電性基板側から、電荷発生層−電荷輸送層の順に積層された層構造を有していることが必要である。即ち、電荷輸送層が電荷発生層の下側に形成されていると、電荷輸送剤が表面に露出していな付着防止効果が発現しないためである。
このような層構成を有する積層型感光層において、電荷発生剤は、電荷発生層中の樹脂固形分１００重量部当たり、５乃至１０００重量部、特に３０乃至５００重量部の量で含有されるのがよい。また正孔輸送剤を用いる場合には、該正孔輸送剤は、電荷輸送層のバインダー樹脂１００重量部当たり、１０乃至５００重量部、特に２５乃至２００重量部の量で含有されるのがよく、電子輸送剤を用いる場合には、該電子輸送剤は、バインダー樹脂１００重量部当たり、０．１乃至２５０重量部、特に０．５乃至１５０重量部の量で配合されているのがよい。
電荷発生層及び電荷輸送層の厚みは、一般に、電荷発生層は、０．０１乃至５μｍ、特に０．１乃至３μｍの範囲にあるのがよく、電荷輸送層は２乃至１００μｍ、特に５乃至５０μｍの範囲にあるのがよい。
【００６７】
−感光層の作成−
上述した感光層の形成に用いる感光層形成用組成物には、電子写真学的特性に悪影響を及ぼさない範囲で、それ自体公知の種々の配合剤例えば、酸化防止剤、ラジカル捕捉剤、一重項クエンチャー、ＵＶ吸収剤、軟化剤、表面改質剤、消泡剤、増量剤、増粘剤、分散安定剤、ワックス、アクセプター、ドナー等を配合させることができる。
【００６８】
また、感光層の耐久性を向上させるために、感光層の表面側の層に、全固形分当たり０．１乃至５０重量％の立体障害性フェノール系酸化防止剤を配合してもよい。
【００６９】
感光層を設ける導電性基板としては、導電性を有する種々の材料が使用でき、例えば、アルミニウム、銅、錫、白金、金、銀、バナジウム、モリブデン、クロム、カドミウム、チタン、ニッケル、インジウム、ステンレス鋼、真鍮等の金属単体や、上記金属が蒸着またはラミネートされたプラスック材料、ヨウ化アルミニウム、酸化錫、酸化インジウム等で被覆されたガラス等が例示される。また、カーボンブラック等の導電性微粒子が分散された導電性樹脂基板を用いることもできる。
本発明の感光体では、通常のアルミニウム素管を好適に使用することができるが、膜厚が０．５乃至５０μｍとなるようにアルマイト処理を施してもよい。
【００７０】
感光体を形成させるには、電荷発生剤、電子輸送剤及び結着樹脂の組み合わせ、電荷発生剤と結着樹脂との組み合わせ、或いは電子輸送剤とバインダー樹脂等の組み合わせを、従来公知の方法、例えば、ロールミル、ボールミル、アトライタ、ペイントシェイカーあるいは超音波分散器等を用いて塗布用組成物を調製し、従来公知の塗布手段により塗布し、必要により積層し、乾燥すればよい。
【００７１】
塗布液を形成するのに使用する溶剤としては、種々の有機溶剤が使用でき、メタノール、エタノール、イソプロパノール、ブタノール等のアルコール類、ｎ−ヘキサン、オクタン、シクロヘキサン等の脂肪族系炭化水素、ベンゼン、トルエン、キシレン等の芳香族炭化水素、ジクロロメタン、ジクロロエタン、四塩化炭素、クロロベンゼン等のハロゲン化炭化水素、ジメチルエーテル、ジエチルエーテル、テトラヒドロフラン、ジオキサン、ジオキソラン、エチレングリコールジメチルエーテル、ジエチレングリコールジメチルエーテル等のエーテル類、アセトン、メチルエチルケトン、シクロヘキサノン等のケトン類、酢酸エチル、酢酸メチル等のエステル類、ジメチルホルムアミド、ジメチルスルホキシド等、種々の溶剤が例示され、一種または二種以上混合して用いられる。
単層型感光体の感光層や積層型感光体の電荷輸送層を形成する場合には、塗布液の固形分濃度は一般に５乃至５０％とするのがよい。また、積層型感光体の電荷発生層を形成する場合には、塗布液の固形分濃度は、一般に２乃至１０％がよい。
【００７２】
また、上述した単層或いは積層型の感光層は、これを直接導電性基板上に形成してもよいが、下引き層を介して形成することもできる。
このような下引き層としては、カゼイン、ポリビニルアルコール、ポリビニルアセタール、ポリアミド、メラミン、セルロース、ポリチオフェン、ポリピロール、ポリアニリン、ポリエステル、ポリアクリレート、ポリスチレン等の高分子膜を例示することができる。下引き層の厚みは、０．０１μｍ乃至２０μｍの範囲が好ましい。下引き層に導電性を付与するために、金、銀、アルミ等の金属粉末、酸化チタン、酸化スズ等の酸化金属粉末、カーボンブラック等の導電性微粉末、或いはこれらをアルミナ、酸化ジルコニア、ポリジメチルシロキサン等で表面処理したものを分散させることもできる。
【００７３】
本発明は、上述した有機感光層を有する有機感光体ドラム１は、正極性に主帯電して用いる場合に、顕著な効果が発現する。即ち、紙粉に含まれるタルク等の無機化合物粒子は、負極性に帯電し易いという性質を有しており、この結果、有機感光層が正極性に帯電されているときが、最もその表面に付着し易く且つ強固に結合し、フィルミングを生じ易い。前述した本発明では、感光層が正極性に帯電されて画像形成される場合においても、タルク等のフィルミングが有効に防止され、且つ放電生成物による劣化を有効に回避することができるからである。
【００７４】
尚、上述した図１の例において、転写手段としては、転写用帯電器１０と紙分離用帯電器１１とが一体に組み合わされた一体型帯電ユニットが使用されているが、本発明は、このような態様に限定されるものではなく、転写用帯電器１０と紙分離用帯電器１１とが別個独立に設けられていてもよい。この場合、転写用帯電器１０或いは紙分離用帯電器１１の何れか一方に開口１７を形成することもできるし、両方に開口１７を形成してもよい。また、転写用帯電器１０或いは紙分離用帯電器１１の何れかについて、角度θが±１０度以内となるように配置することができる。
【００７５】
【実施例】
本発明を次の実験例で説明する。
以下の実験例において、感光層形成用の材料として、以下のものを用いた。
【００７６】
バインダー樹脂：以下のＲｅｓｉｎ−１（粘度平均分子量５０，０００）
【化２４】
2004133064.tif 000027
【００７７】
電荷発生剤：　ｘ型無金属フタロシアニン（ＣＧＭ−１）
正孔輸送剤：　前述した式（１３）で表されるビススチルベンジアミン化合物
（Ｉ／Ｏ値：０．２３９４）
界面活性剤：ポリエチレングリコールジラウリレート（平均重合度４．０）
レベリング剤：ジメチルシリコーンオイル（信越化学工業社製ＫＦ−９６−５０ＣＳ）
【００７８】
（実施例１）
電子輸送剤（ＥＴＭ）として、下記式：
【化２５】
2004133064.tif 000028
で表されるジナフトキノン誘導体（ＥＴＭ−１；Ｉ／Ｏ値：０．４５００）を使用し、下記処方により、前述したバインダー樹脂（ｒｅｓｉｎ−１）、電荷発生剤、正孔輸送剤、界面活性剤、及びレベリング剤（ジメチルシリコンオイル）と共に、テトラヒドロフランに超音波分散機にて混合分散して単層型感光層用塗布液を調製した。
バインダー樹脂（ｒｅｓｉｎ−１）：　１００重量部
電荷発生剤（ＣＧＭ−１）：　３．５重量部
正孔輸送剤（Ｉ／Ｏ値：０．２３９４）：　５０重量部
電子輸送剤（Ｉ／Ｏ値：０．４５００）：　４０重量部
界面活性剤：　５重量部
レベリング剤：　０．１重量部
テトラヒドロフラン（溶媒）：　７５０重量部
上記の塗布液をアルミ素管に塗布した後、１２０℃で４０分間熱風乾燥することにより膜厚３０μｍの単層型感光層を備えた感光体ドラムを作製した。
【００７９】
（実施例２）
電子輸送剤（ＥＴＭ）として、下記式：
【化２６】
2004133064.tif 000029
で表されるナフトキノン誘導体（ＥＴＭ−２、Ｉ／Ｏ値＝０．５８３３）を用いた以外は、実施例１と同様にして、単層型感光層を備えた感光体ドラムを作製した。
【００８０】
（実施例３）
電子輸送剤（ＥＴＭ）として、下記式：
【化２７】
2004133064.tif 000030
で表されるジフェノキノン誘導体（ＥＴＭ−３、Ｉ／Ｏ値＝０．３３７５）を用いた以外は、実施例１と同様にして、単層型感光層を備えた感光体ドラムを作製した。
【００８１】
（実施例４）
電子輸送剤（ＥＴＭ）として、下記式：
【化２８】
2004133064.tif 000031
で表されるジフェノキノン誘導体（ＥＴＭ−４、Ｉ／Ｏ値＝０．４０５０）を用いた以外は、実施例１と同様にして、単層型感光層を備えた感光体ドラムを作製した。
【００８２】
（実施例５）
電子輸送剤（ＥＴＭ）として、下記式：
【化２９】
2004133064.tif 000032
で表されるナフトキノン誘導体（ＥＴＭ−５、Ｉ／Ｏ値＝０．３６３０）を用いた以外は、実施例１と同様にして、単層型感光層を備えた感光体ドラムを作製した。
【００８３】
（実施例６）
電子輸送剤（ＥＴＭ）として、下記式：
【化３０】
2004133064.tif 000033
で表されるキノン誘導体（ＥＴＭ−６、Ｉ／Ｏ値＝０．３２６２）を用いた以外は、実施例１と同様にして、単層型感光層を備えた感光体ドラムを作製した。
【００８４】
（実施例７）
電子輸送剤（ＥＴＭ）として、下記式：
【化３１】
2004133064.tif 000034
で表されるキノン誘導体（ＥＴＭ−７、Ｉ／Ｏ値＝０．３７２７）を用いた以外は、実施例１と同様にして、単層型感光層を備えた感光体ドラムを作製した。
【００８５】
（比較例１〜８）
下記の電子輸送剤（Ｈ−１）〜（Ｈ−８）を用いた以外は、実施例１と同様にして、単層型感光層を備えた感光体ドラムを作製した。
【００８６】
電子輸送剤（Ｈ−１）：Ｉ／Ｏ値＝０．７６５６
【化３２】
2004133064.tif 000035
【００８７】
電子輸送剤（Ｈ−２）：Ｉ／Ｏ値＝１．１３６４
【化３３】
2004133064.tif 000036
【００８８】
電子輸送剤（Ｈ−３）：Ｉ／Ｏ値＝０．７９４６
【化３４】
2004133064.tif 000037
【００８９】
電子輸送剤（Ｈ−４）：Ｉ／Ｏ値＝０．８０２３
【化３５】
2004133064.tif 000038
【００９０】
電子輸送剤（Ｈ−５）：Ｉ／Ｏ値＝０．６１９６
【化３６】
2004133064.tif 000039
【００９１】
電子輸送剤（Ｈ−６）：Ｉ／Ｏ値＝０．６４０６
【化３７】
2004133064.tif 000040
【００９２】
電子輸送剤（Ｈ−７）：Ｉ／Ｏ値＝０．６０４２
【化３８】
2004133064.tif 000041
【００９３】
電子輸送剤（Ｈ−８）：Ｉ／Ｏ値＝０．９０６３
【化３９】
2004133064.tif 000042
【００９４】
（実験）
転写用帯電器と紙分離用帯電器とが一体になった転写ユニットとして、放電開口部とは反対側の背面に形成されている開口の大きさの異なる３種類のものを用意した。
転写ユニットＡ：背面開口部３０％
転写ユニットＢ：背面開口部５５％
転写ユニットＣ：背面開口部７０％
実施例１〜７及び比較例１〜８で作製された単層型有機感光体を、前記の転写ユニットＡ〜Ｃの何れかとともに、京セラミタ製デジタル複写機「ＫＭ−５５３０」の改造機（主帯電器としてスコロトロン、現像剤として二成分系磁性現像剤を使用）に装着した。尚、転写ユニットは、何れも、図１における角θが０度となるように感光体ドラムの直下に配置した。
転写紙として、タルクを２〜５重量％含有する低品位の紙（Ａ４サイズ）を使用し、主帯電電位を＋７００Ｖ、現像バイアス電圧を＋５５０Ｖ、及び転写ユニット中の転写用ワイヤの電流値を＋４２０μＡに設定して、転写紙を通して反転現像による画像形成サイクルを繰り返し行い、タルクのフィルミングが行うまでの耐刷枚数を測定した。その結果を図２及び表２に示した。
また、１０００枚（Ａ４サイズ）の連続コピー終了後１０分停止し、主帯電電位を６００Ｖに下げて白紙の画像を出した。そのときに黒帯状のカブリが発生したかどうかを評価し、その結果を表２に併せて示した。（○：カブリ発生せず、×：カブリ発生）
【００９５】
【表２】
2004133064.tif 000043
【００９６】
【発明の効果】
本発明によれば、耐摩耗性に優れた感光層を有する有機感光体ドラムを用いた場合にも、画像形成の繰り返しによる画質の低下が有効に抑制され、装置の有効寿命が向上し、ライフを通じて高画質の画像を形成することが可能となった。
【図面の簡単な説明】
【図１】本発明の画像形成装置の構造を示す概略図。
【図２】実施例及び比較例で作製された有機感光体ドラムの感光層中に配合されている電子輸送剤の有機性／無機性値とタルクのフィルミングが発生するまでのコピー枚数との関係を示す図。
【符号の説明】
１：有機感光体ドラム
２：主帯電装置
３：露光用光学系
４：現像装置
５：転写装置（転写・分離一体型帯電ユニット）
【図１】
2004133064.tif 000044
【図２】
2004133064.tif 000045